(57)【要約】【課題】需要家内に設置された分散形電源に対して計測装置を直接設置することなく当該分散形電源の運転状態を判別する。【解決手段】三相電流を測定する電流測定手段５と、電流測定手段５の測定結果に基づいて電流不平衡率に関連する値を求める関連値決定手段６と、予め作成された運転状態事例データ群２１を記憶する記憶手段１４と、データ群２１を使用しサポートベクターマシンを用いて発電機（分散形電源）３の運転状態の判別面を生成して識別関数を決定する学習手段８と、新たに求められる電流不平衡率の関連値を入力として識別関数を用いて発電機３の運転状態を判別する判別手段９とを備えている。データ群２１は、同じ時刻に測定されて求められた電流不平衡率の関連値と発電機３の運転状態の計測値とを組み合わせて複数集めて予め作成されたものである。電流不平衡率の関連値は、例えば三相の電流実効値と三相の電流の位相差との組み合わせ等である。【選択図】図１
2011072122.tif 000002
【特許請求の範囲】
【請求項１】
三相電流が流れる配電系統に連系された需要家の三相電流を発生させる分散形電源の運転状態判別方法において、予め、前記配電系統又は前記配電系統から前記分散形電源に至るまでの電線を流れる三相電流を測定して電流不平衡率に関連する値を求めると共に、前記測定時における前記分散形電源の運転状態を計測し、同じ測定時刻の前記電流不平衡率の関連値と前記分散形電源の運転状態の計測値とを組み合わせて複数集めた運転状態事例データ群を作成しておき、前記運転状態事例データ群の前記電流不平衡率の関連値を入力とすると共に前記運転状態事例データ群の前記分散形電源の運転状態の計測値を出力としてサポートベクターマシンを用いて前記分散形電源の運転状態の判別面を生成して識別関数を決定し、新たに求められる前記電流不平衡率の関連値を入力として前記識別関数を用いて前記分散形電源の運転状態を判別するものであり、前記電流不平衡率の関連値は、電流不平衡率、三相の電流の位相差を１２０度と仮定した場合の電流不平衡率、三相の電流実効値、三相の電流実効値と三相の電流の位相差との組み合わせ、正相電流と逆相電流との組み合わせのいずれか１つであることを特徴とする分散形電源の運転状態判別方法。
【請求項２】
三相電流が流れる配電系統に連系された需要家の三相電流を発生させる分散形電源の運転状態判別方法において、予め、前記配電系統から前記分散形電源に至るまでの電線の電力を二電力計法によって測定して２つの電力計の測定値を電流不平衡率に関連する値とすると共に、前記測定時における前記分散形電源の運転状態を計測し、同じ測定時刻の前記電流不平衡率の関連値と前記分散形電源の運転状態の計測値とを組み合わせて複数集めた運転状態事例データ群を作成しておき、前記運転状態事例データ群の前記電流不平衡率の関連値を入力とすると共に前記運転状態事例データ群の前記分散形電源の運転状態の計測値を出力としてサポートベクターマシンを用いて前記分散形電源の運転状態の判別面を生成して識別関数を決定し、新たに求められる前記電流不平衡率の関連値を入力として前記識別関数を用いて前記分散形電源の運転状態を判別することを特徴とする分散形電源の運転状態判別方法。
【請求項３】
前記測定に係る三相電流の力率を測定し、前記サポートベクターマシンの入力に、前記力率の測定値を組み合わせることを特徴とする請求項１又は２記載の分散形電源の運転状態判別方法。
【請求項４】
三相電流が流れる配電系統に連系された需要家の三相電流を発生させる分散形電源の運転状態判別装置において、前記配電系統又は前記配電系統から前記分散形電源に至るまでの電線を流れる三相電流を測定する電流測定手段と、前記電流測定手段の測定結果に基づいて電流不平衡率に関連する値を求める関連値決定手段と、予め作成された運転状態事例データ群を記憶する記憶手段と、前記運転状態事例データ群の前記電流不平衡率の関連値を入力とすると共に前記運転状態事例データ群の前記分散形電源の運転状態の計測値を出力としてサポートベクターマシンを用いて前記分散形電源の運転状態の判別面を生成して識別関数を決定する学習手段と、前記電流測定手段によって新たに測定されて前記関連値決定手段によって新たに求められる前記電流不平衡率の関連値を入力として前記識別関数を用いて前記分散形電源がどのような運転状態にあるかを判別する判別手段とを備え、前記運転状態事例データ群は、同じ時刻に測定されて求められた前記電流不平衡率の関連値と前記分散形電源の運転状態の計測値とを組み合わせて複数集めて予め作成されたものであり、前記電流不平衡率の関連値は、電流不平衡率、三相の電流の位相差を１２０度と仮定した場合の電流不平衡率、三相の電流実効値、三相の電流実効値と三相の電流の位相差との組み合わせ、正相電流と逆相電流との組み合わせのいずれか１つであることを特徴とする分散形電源の運転状態判別装置。
【請求項５】
三相電流が流れる配電系統に連系された需要家の三相電流を発生させる分散形電源の運転状態判別装置において、前記配電系統から前記分散形電源に至るまでの電線に設けられた二電力計法に使用する２つの電力計と、前記２つの電力計の計測値の組み合わせを電流不平衡率に関連する値とする関連値決定手段と、予め作成された運転状態事例データ群を記憶する記憶手段と、前記運転状態事例データ群の前記２つの電力計の計測値を入力とすると共に前記運転状態事例データ群の前記分散形電源の運転状態の計測値を出力としてサポートベクターマシンを用いて前記分散形電源の運転状態の判別面を生成して識別関数を決定する学習手段と、新たに計測される前記２つの電力計の計測値を入力として前記識別関数を用いて前記分散形電源がどのような運転状態にあるかを判別する判別手段とを備え、前記運転状態事例データ群は、同じ時刻に計測された前記２つの電力計の計測値と前記分散形電源の運転状態の計測値とを組み合わせて複数集めて予め作成されたものであることを特徴とする分散形電源の運転状態判別装置。
【請求項６】
前記測定に係る三相電流の力率を測定する力率測定手段を備え、前記サポートベクターマシンの入力に、前記力率の測定値を組み合わせることを特徴とする請求項４又は５記載の分散形電源の運転状態判別装置。
【請求項７】
少なくとも、三相電流が流れる配電系統又は前記配電系統から前記配電系統に連系された需要家の三相電流を発生させる分散形電源に至るまでの電線を流れる三相電流を測定する電流測定手段の測定結果に基づいて電流不平衡率に関連する値を求める関連値決定手段と、同じ時刻に測定されて求められた前記電流不平衡率の関連値と前記分散形電源の運転状態の計測値とを組み合わせて複数集めて予め作成され記憶手段に記憶された運転状態事例データ群の前記電流不平衡率の関連値を入力とすると共に前記運転状態事例データ群の前記分散形電源の運転状態の計測値を出力としてサポートベクターマシンを用いて前記分散形電源の運転状態の判別面を生成して識別関数を決定する学習手段と、前記電流測定手段によって新たに測定されて前記関連値決定手段によって新たに求められる前記電流不平衡率の関連値を入力として前記識別関数を用いて前記分散形電源がどのような運転状態にあるかを判別する判別手段としてコンピュータを機能させるための分散形電源の運転状態判別プログラム。
【請求項８】
少なくとも、三相電流が流れる配電系統から前記配電系統に連系された需要家の三相電流を発生させる分散形電源に至るまでの電線に設けられた二電力計法に使用する２つの電力計の計測値の組み合わせを電流不平衡率に関連する値とする関連値決定手段と、同じ時刻に計測された前記２つの電力計の計測値と前記分散形電源の運転状態の計測値とを組み合わせて複数集めて予め作成され記憶手段に記憶された運転状態事例データ群の前記２つの電力計の計測値を入力とすると共に前記運転状態事例データ群の前記分散形電源の運転状態の計測値を出力としてサポートベクターマシンを用いて前記分散形電源の運転状態の判別面を生成して識別関数を決定する学習手段と、新たに計測される前記２つの電力計の計測値を入力として前記識別関数を用いて前記分散形電源がどのような運転状態にあるかを判別する判別手段としてコンピュータを機能させるための分散形電源の運転状態判別プログラム。
【請求項９】
前記測定に係る三相電流の力率を測定する力率測定手段の測定値を前記サポートベクターマシンの入力に組み合わせることを特徴とする請求項７又は８記載の分散形電源の運転状態判別プログラム。
【発明の詳細な説明】
【技術分野】
【０００１】
本発明は、分散形電源の運転状態判別方法および装置並びに運転状態判別プログラムに関する。さらに詳述すると、本発明は、配電系統に連系している発電機、インバータ電源等の三相電流を発生させる分散形電源の運転状態を判別する技術に関するものである。
【０００２】
本明細書において、分散形電源が運転し発電している状態を運転ありと呼び、分散形電源が停止し発電していない状態を運転なしと呼ぶ。そして、ここでは主に分散形電源の発電の有無を運転状態と呼ぶが、一軒の需要家に複数台の分散形電源が設置されているような場合には、運転台数を判別するように拡張することもできる。
【０００３】
また、本明細書において、サポートベクターマシン（Ｓupport  Ｖector  Ｍachine）のことをＳＶＭとも表記する。なお、ＳＶＭは、パターン識別手法の一つである。
【背景技術】
【０００４】
配電系統に分散形電源が連系している場合、配電系統を適切に運用するためには、区分開閉器によって区分される配電系統の各区間の負荷や電力潮流（電流）をおおまかに算出することが必要とされ、そのために需要家が有する分散形電源の運転状態を把握することが必要とされる。
【０００５】
配電系統に分散形電源が連系している場合の区分開閉器によって区分される配電系統の各区間の負荷を算出する従来の技術としては、例えば、配電線の区間負荷算出装置がある（特許文献１）。この装置は、変電所で測定される配電線の送出し電力と、配電系統に連系する各分散形電源に設置された分散形電源出力計測手段によって計測される計測値であって変電所における送出し電力の測定時刻と同時刻の分散形電源から配電系統に対して供給される電流の計測値に基づいて各区間の実際の負荷を算出し、これによって各区間の電力潮流を把握するものである。
【先行技術文献】
【特許文献】
【０００６】
【特許文献１】特開２００３−６１２４７号
【発明の概要】
【発明が解決しようとする課題】
【０００７】
しかしながら、特許文献１の配電線の区間負荷算出装置は、需要家の各分散形電源に対して計測装置を直接設置して計測を行う必要がある。したがって、全ての需要家に対して計測装置の設置を要請し承諾をしてもらわなければならず、現実には非常に困難である。
【０００８】
本発明は、需要家内に設置された発電機や三相のインバータ電源等の分散形電源に対して計測装置を直接設置することなく当該分散形電源の運転状態を判別することができる分散形電源の運転状態判別方法および装置並びに運転状態判別プログラムを提供することを目的とする。
【課題を解決するための手段】
【０００９】
かかる目的を達成するため、請求項１記載の発明は、三相電流が流れる配電系統に連系された需要家の三相電流を発生させる分散形電源の運転状態判別方法において、予め、配電系統又は配電系統から分散形電源に至るまでの電線を流れる三相電流を測定して電流不平衡率に関連する値を求めると共に、測定時における分散形電源の運転状態を計測し、同じ測定時刻の電流不平衡率の関連値と分散形電源の運転状態の計測値とを組み合わせて複数集めた運転状態事例データ群を作成しておき、運転状態事例データ群の電流不平衡率の関連値を入力とすると共に運転状態事例データ群の分散形電源の運転状態の計測値を出力としてサポートベクターマシンを用いて分散形電源の運転状態の判別面を生成して識別関数を決定し、新たに求められる電流不平衡率の関連値を入力として識別関数を用いて分散形電源の運転状態を判別するものであり、電流不平衡率の関連値は、電流不平衡率、三相の電流の位相差を１２０度と仮定した場合の電流不平衡率、三相の電流実効値、三相の電流実効値と三相の電流の位相差との組み合わせ、正相電流と逆相電流との組み合わせのいずれか１つとしている。
【００１０】
また、請求項２記載の分散形電源の運転状態判別方法は、三相電流が流れる配電系統に連系された需要家の三相電流を発生させる分散形電源の運転状態判別方法において、予め、配電系統から分散形電源に至るまでの電線の電力を二電力計法によって測定して２つの電力計の測定値を電流不平衡率に関連する値とすると共に、測定時における分散形電源の運転状態を計測し、同じ測定時刻の電流不平衡率の関連値と分散形電源の運転状態の計測値とを組み合わせて複数集めた運転状態事例データ群を作成しておき、運転状態事例データ群の電流不平衡率の関連値を入力とすると共に運転状態事例データ群の分散形電源の運転状態の計測値を出力としてサポートベクターマシンを用いて分散形電源の運転状態の判別面を生成して識別関数を決定し、新たに求められる電流不平衡率の関連値を入力として識別関数を用いて分散形電源の運転状態を判別するものである。
【００１１】
また、請求項３記載の分散形電源の運転状態判別方法は、測定に係る三相電流の力率を測定し、サポートベクターマシンの入力に、力率の測定値を組み合わせるものである。
【００１２】
また、請求項４記載の分散形電源の運転状態判別装置は、三相電流が流れる配電系統に連系された需要家の三相電流を発生させる分散形電源の運転状態判別装置において、配電系統又は配電系統から分散形電源に至るまでの電線を流れる三相電流を測定する電流測定手段と、電流測定手段の測定結果に基づいて電流不平衡率に関連する値を求める関連値決定手段と、予め作成された運転状態事例データ群を記憶する記憶手段と、運転状態事例データ群の電流不平衡率の関連値を入力とすると共に運転状態事例データ群の分散形電源の運転状態の計測値を出力としてサポートベクターマシンを用いて分散形電源の運転状態の判別面を生成して識別関数を決定する学習手段と、電流測定手段によって新たに測定されて関連値決定手段によって新たに求められる電流不平衡率の関連値を入力として識別関数を用いて分散形電源がどのような運転状態にあるかを判別する判別手段とを備え、運転状態事例データ群は、同じ時刻に測定されて求められた電流不平衡率の関連値と分散形電源の運転状態の計測値とを組み合わせて複数集めて予め作成されたものであり、電流不平衡率の関連値は、電流不平衡率、三相の電流の位相差を１２０度と仮定した場合の電流不平衡率、三相の電流実効値、三相の電流実効値と三相の電流の位相差との組み合わせ、正相電流と逆相電流との組み合わせのいずれか１つとしているものである。
【００１３】
また、請求項５記載の分散形電源の運転状態判別装置は、三相電流が流れる配電系統に連系された需要家の三相電流を発生させる分散形電源の運転状態判別装置において、配電系統から分散形電源に至るまでの電線に設けられた二電力計法に使用する２つの電力計と、２つの電力計の計測値の組み合わせを電流不平衡率に関連する値とする関連値決定手段と、予め作成された運転状態事例データ群を記憶する記憶手段と、運転状態事例データ群の２つの電力計の計測値を入力とすると共に運転状態事例データ群の分散形電源の運転状態の計測値を出力としてサポートベクターマシンを用いて分散形電源の運転状態の判別面を生成して識別関数を決定する学習手段と、新たに計測される２つの電力計の計測値を入力として識別関数を用いて分散形電源がどのような運転状態にあるかを判別する判別手段とを備え、運転状態事例データ群は、同じ時刻に計測された２つの電力計の計測値と分散形電源の運転状態の計測値とを組み合わせて複数集めて予め作成されたものである。
【００１４】
さらに、請求項６記載の分散形電源の運転状態判別装置は、測定に係る三相電流の力率を測定する力率測定手段を備え、サポートベクターマシンの入力に、力率の測定値を組み合わせるようにしている。
【００１５】
また、請求項７記載の分散形電源の運転状態判別プログラムは、少なくとも、三相電流が流れる配電系統又は配電系統から配電系統に連系された需要家の三相電流を発生させる分散形電源に至るまでの電線を流れる三相電流を測定する電流測定手段の測定結果に基づいて電流不平衡率に関連する値を求める関連値決定手段と、同じ時刻に測定されて求められた電流不平衡率の関連値と分散形電源の運転状態の計測値とを組み合わせて複数集めて予め作成され記憶手段に記憶された運転状態事例データ群の電流不平衡率の関連値を入力とすると共に運転状態事例データ群の分散形電源の運転状態の計測値を出力としてサポートベクターマシンを用いて分散形電源の運転状態の判別面を生成して識別関数を決定する学習手段と、電流測定手段によって新たに測定されて関連値決定手段によって新たに求められる電流不平衡率の関連値を入力として識別関数を用いて分散形電源がどのような運転状態にあるかを判別する判別手段としてコンピュータを機能させるものである。
【００１６】
また、請求項８記載の分散形電源の運転状態判別プログラムは、少なくとも、三相電流が流れる配電系統から配電系統に連系された需要家の三相電流を発生させる分散形電源に至るまでの電線に設けられた二電力計法に使用する２つの電力計の計測値の組み合わせを電流不平衡率に関連する値とする関連値決定手段と、同じ時刻に計測された２つの電力計の計測値と分散形電源の運転状態の計測値とを組み合わせて複数集めて予め作成され記憶手段に記憶された運転状態事例データ群の２つの電力計の計測値を入力とすると共に運転状態事例データ群の分散形電源の運転状態の計測値を出力としてサポートベクターマシンを用いて分散形電源の運転状態の判別面を生成して識別関数を決定する学習手段と、新たに計測される２つの電力計の計測値を入力として識別関数を用いて分散形電源がどのような運転状態にあるかを判別する判別手段としてコンピュータを機能させるためのものである。
【００１７】
さらに、請求項９記載の分散形電源の運転状態判別プログラムは、測定に係る三相電流の力率を測定する力率測定手段の測定値を前記サポートベクターマシンの入力に組み合わせるものである。
【００１８】
この分散形電源の運転状態判別方法および分散形電源の運転状態判別装置並びに分散形電源の運転状態判別プログラムによると、下記に説明する原理によって配電系統に連系する分散形電源の運転状態を判別することができる。
【００１９】
配電系統に連系されている需要家の三相負荷は平衡である。また、需要家の分散形電源電流（三相）も平衡である。いま、需要家の単相負荷が三相のうちａｂ相に接続されているとすると、例えば連系点の電流は数式１〜数式３によって示される。ここで、Ｉａｒ：ａ相の電流、Ｉｂｒ：ｂ相の電流、Ｉｃｒ：ｃ相の電流である。また、需要家の三相負荷のうちａ相負荷をＩａ３ｐ、ｂ相負荷をＩｂ３ｐ、ｃ相負荷をＩｃ３ｐとし、分散形電源電流のうちａ相電流をＩａＧ、ｂ相電流をＩｂＧ、ｃ相電流をＩｃＧとする。さらに、需要家の単相負荷が接続されるａ相電流をＩａ１ｐ、ｂ相電流をＩｂ１ｐとする。
【００２０】
〈数１〉
Ｉａｒ＝Ｉａ３ｐ＋Ｉａ１ｐ−ＩａＧ
〈数２〉
Ｉｂｒ＝Ｉｂ３ｐ＋Ｉｂ１ｐ−ＩｂＧ
〈数３〉
Ｉｃｒ＝Ｉｃ３ｐ−ＩcＧ
【００２１】
零相電流を計算すると、零相電流Ｉ０は数式４によって示される。
〈数４〉
Ｉ０＝１／３（Ｉａｒ＋Ｉｂｒ＋Ｉｃｒ）
＝１／３｛（Ｉａ３ｐ＋Ｉａ１ｐ−ＩａＧ）
＋（Ｉｂ３ｐ＋Ｉｂ１ｐ−ＩｂＧ）
＋（Ｉｃ３ｐ−ＩｃＧ）｝
＝１／３｛（Ｉａ３ｐ＋Ｉｂ３ｐ＋Ｉｃ３ｐ）
＋（Ｉａ１ｐ＋Ｉｂ１ｐ）
−（ＩａＧ＋ＩｂＧ＋ＩｃＧ）｝
【００２２】
ここで三相平衡条件より、（Ｉａ３ｐ＋Ｉｂ３ｐ＋Ｉｃ３ｐ）＝０，（ＩａＧ＋ＩｂＧ＋ＩｃＧ）＝０であるので、上記数式４は数式５となる。
〈数５〉
Ｉ０＝１／３（Ｉａ１ｐ＋Ｉｂ１ｐ）
【００２３】
かつ、Ｉａ１ｐ＝−Ｉｂ１ｐであるので、これを数式５に代入すると、零相電流Ｉ０＝０となる。したがって、零相電流Ｉ０は三相負荷電力および分散形電源の影響を受けない。
【００２４】
次に、正相電流を計算すると、正相電流Ｉ１は数式６によって示される。ここで、ａ及びａ２は数式７，８によって示される回転ベクトルである。
〈数６〉
Ｉ１＝１／３（Ｉａｒ＋ａ×Ｉｂｒ＋ａ２×Ｉｃｒ）
＝１／３｛（Ｉａ３ｐ＋Ｉａ１ｐ−ＩａＧ）
＋ａ×（Ｉｂ３ｐ＋Ｉｂ１ｐ−ＩｂＧ）
＋ａ２×（Ｉｃ３ｐ−ＩｃＧ）｝
＝１／３｛（Ｉａ３ｐ＋ａ×Ｉｂ３ｐ＋ａ２×Ｉｃ３ｐ）
＋（Ｉａ１ｐ＋ａ×Ｉｂ１ｐ）
−（ＩａＧ＋ａ×ＩｂＧ＋ａ２×ＩｃＧ）｝
【数７】
2011072122.tif 000003
【数８】
2011072122.tif 000004
【００２５】
ここで三相平衡条件より、Ｉｂ３ｐ＝ａ２×Ｉａ３ｐ、Ｉｃ３ｐ＝ａ×Ｉａ３ｐ、ＩｂＧ＝ａ２×ＩａＧ、ＩｃＧ＝ａ×ＩａＧであるので、これらを数式６に代入すると、正相電流Ｉ１は数式９となる。
〈数９〉
Ｉ１＝１／３｛（Ｉａ３ｐ＋ａ３×Ｉａ３ｐ＋ａ３×Ｉａ３ｐ）
＋（Ｉａ１ｐ＋ａ×Ｉｂ１ｐ）
−（ＩａＧ＋ａ３×ＩａＧ＋ａ３×ＩａＧ）｝
＝１／３｛３×Ｉａ３ｐ＋（Ｉａ１ｐ＋ａ×Ｉｂ１ｐ）−３×ＩａＧ｝
＝Ｉａ３ｐ−ＩａＧ＋１／３（Ｉａ１ｐ＋ａ×Ｉｂ１ｐ）
よって、正相電流Ｉ１は三相負荷電力および分散形電源電流により変動する。
【００２６】
次に、逆相電流を計算すると、逆相電流Ｉ２は数式１０によって示される。
〈数１０〉
Ｉ２＝１／３（Ｉａｒ＋ａ２×Ｉｂｒ＋ａ×Ｉｃｒ）
＝１／３｛（Ｉａ３ｐ＋ａ２×Ｉｂ３ｐ＋ａ×Ｉｃ３ｐ）
＋（Ｉａ１ｐ＋ａ２×Ｉｂ１ｐ）
−（ＩａＧ＋ａ２×ＩｂＧ＋ａ×ＩｃＧ）｝
＝１／３｛（Ｉａ３ｐ＋ａ４×Ｉａ３ｐ＋ａ２×Ｉｃ３ｐ）
＋（Ｉａ１ｐ＋ａ２×Ｉｂ１ｐ）
−（ＩａＧ＋ａ４×ＩａＧ＋ａ２×ＩａＧ）｝
＝１／３｛（Ｉａ３ｐ＋ａ×Ｉａ３ｐ＋ａ２×Ｉｃ３ｐ）
＋（Ｉａ１ｐ＋ａ２×Ｉｂ１ｐ）
−（ＩａＧ＋ａ×ＩａＧ＋ａ２×ＩａＧ）｝
＝１／３｛（１＋ａ＋ａ２）×Ｉａ３ｐ＋（Ｉａ１ｐ＋ａ２×Ｉｂ１ｐ）
−（１＋ａ＋ａ２）×ＩａＧ｝
＝１／３（Ｉａ１ｐ＋ａ２×Ｉｂ１ｐ）
したがって、逆相電流Ｉ２は三相負荷電力および分散形電源電流の影響を受けない。
【００２７】
よって、正相電流Ｉ１に対する逆相電流Ｉ２の割合である電流不平衡率を求め、この電流不平衡率との関係に基づいて分散形電源の運転状態を判別することができる。
【００２８】
また、判別に使用する指標としては、必ずしも精確に求めた電流不平衡率でなくても、分散形電源電流の影響を受けているものであれば使用可能である。したがって、三相の電流の位相差を１２０度と仮定した場合の電流不平衡率を使用することもできる。
【００２９】
また、上述のように、電流不平衡率の算出には三相の電流実効値（電流値）や三相電流の正相電流が使用され、これらの値は電流不平衡率の値に影響することになる。よって、三相の電流実効値との関係、又は三相電流の正相電流及び逆相電流との関係に基づいて分散形電源の運転状態を判別することもできる。
【００３０】
さらに、二電力計法で使用される２つの電力計の計測値と電流不平衡率との間には相関がある。よって、二電力計法で使用される２つの電力計の計測値との関係に基づいて分散形電源の運転状態を判別することもできる。
【００３１】
即ち、電流不平衡率に関連する値（以下、単に関連値という）として、電流不平衡率それ自体の他、三相の電流の位相差を１２０度と仮定した場合の電流不平衡率、三相の電流実効値、三相の電流実効値と三相の電流の位相差との組み合わせ、正相電流と逆相電流との組み合わせ、二電力計法による２つの電力計の計測値の組み合わせ、を使用することができる。
【００３２】
また、上述の電流不平衡率の計算では力率を考慮していないが、力率を考慮することで位相差に関する情報を補完できるので、サポートベクターマシンの入力指標として力率を更に組み合わせて使用することもできる。
【００３３】
ここで、分散形電源を発電機とした場合の発電機電流と三相電流・電流不平衡率との関係を調べる実験を行った。実験は、単相負荷を６０ｋＷ（力率１００％）、三相負荷を２４０ｋＷ（力率８５％）、発電機出力を定格２４０ｋＷ（力率９５％）とし、発電機出力を０ｋＷから２４０ｋＷまで変化させて需要家２入口の各相電流、電流不平衡率を計算することで行った。単相負荷はＡ相とＣ相の間に設けた。
【００３４】
その結果を図５に示す。図５からも明らかなように、発電機３の出力増加に伴って電流不平衡率が増大することを確認できた。また、電流不平衡率の変化は三相の電流値の変化に反映されることも確認できた。したがって、電流不平衡率を指標として採用することにより、発電機３の運転状態の判別が可能であると共に、電流不平衡率に関連する値として三相の電流値（実効値）を採用可能である。
【００３５】
また、分散形電源を発電機とした場合の発電機電流と二電力計法による２つの電力計の計測値（指示値）・電流不平衡率との関係を調べる実験を行った。実験は、単相負荷を６０ｋＷ（力率１００％）、三相負荷を２４０ｋＷ（力率８５％）、発電機出力を定格２４０ｋＷ（力率９５％）とし、発電機出力を０ｋＷから２４０ｋＷまで変化させて２つの電力計の指示値（Ｗ１，Ｗ３）と、需要家２入口の電流不平衡率を計算することで行なった。
【００３６】
その結果を図６に示す。図６からも明らかなように、発電機３の出力増加に伴って電流不平衡率が増大すると共に、電流不平衡率の変化は２つの電力計の指示値に反映されることが確認できた。したがって、電流不平衡率を指標として採用することにより、発電機３の運転状態の判別が可能であると共に、電流不平衡率に関連する値として２つの電力計の指示値を採用可能である。
【発明の効果】
【００３７】
請求項１，２記載の分散形電源の運転状態判別方法、請求項４，５記載の分散形電源の運転状態判別装置、及び請求項７，８記載の分散形電源の運転状態判別プログラムによれば、需要家内に計測装置を直接取り付けることなく需要家内に設置された分散形電源の運転状態を判別することができるので、需要家内に設置された分散形電源の運転状態の判別の仕組みを容易に構築することが可能になる。
また、請求項３記載の分散形電源の運転状態判別方法、請求項６記載の分散形電源の運転状態判別装置、及び請求項９記載の分散形電源の運転状態判別プログラムによれば、分散形電源の運転状態の判別をより精確に行うことができる。
【図面の簡単な説明】
【００３８】
【図１】本発明の分散形電源の運転状態判別装置の実施形態の一例を示す概略構成図である。
【図２】本発明の分散形電源の運転状態判別方法の実施形態の一例を示すフローチャートである。
【図３】三相電流の電流実効値と三相の電流の位相差を説明するための図である。
【図４】本発明の分散形電源の運転状態判別装置の他の実施形態の一例を示す概略構成図である。
【図５】分散形電源電流と受電点の三相電流・電流不平衡率との関係を調べる実験の結果を示すグラフである。
【図６】分散形電源電流と受電点の二電力計法による２つの電力計の計測値（指示値）・電流不平衡率との関係を調べる実験の結果を示すグラフである。
【発明を実施するための形態】
【００３９】
以下、本発明の構成を図面に示す形態に基づいて詳細に説明する。
【００４０】
図１に本発明の分散形電源の運転状態判別装置の第１の実施形態を、図２に本発明の分散形電源の運転状態判別方法の第１の実施形態をそれぞれ示す。本実施形態では、分散形電源として発電機を例に説明する。ただし、分散形電源としては三相電流を発生させる分散形電源であれば発電機に限るものではなく、例えば燃料電池等を使用したインバータ電源等でも良い。分散形電源の運転状態判別装置（以下、単に運転状態判別装置という）は、三相電流が流れる配電系統１に連系された需要家２の三相電流を発生させる発電機３の運転状態を判別するものであって、配電系統１又は配電系統１から発電機３に至るまでの電線４を流れる三相電流を測定する電流測定手段５と、電流測定手段５の測定結果に基づいて電流不平衡率に関連する値を求める関連値決定手段６と、予め作成された運転状態事例データ群２１を記憶する記憶手段１４と、運転状態事例データ群２１の電流不平衡率の関連値を入力とすると共に運転状態事例データ群２１の発電機３の運転状態の計測値を出力としてサポートベクターマシンを用いて発電機３の運転状態の判別面を生成して識別関数を決定する学習手段８と、電流測定手段５によって新たに測定されて関連値決定手段６によって新たに求められる電流不平衡率の関連値を入力として識別関数を用いて発電機３がどのような運転状態にあるかを判別する判別手段９とを備えている。また、分散形電源の運転状態判別方法（以下、単に運転状態判別方法という）は、三相電流が流れる配電系統１に連系された需要家２の三相電流を発生させる発電機３の運転状態を判別するものであって、予め、配電系統１又は配電系統１から発電機３に至るまでの電線４を流れる三相電流を測定して電流不平衡率に関連する値を求めると共に、三相電流の測定時における発電機３の運転状態を計測し、同じ測定時刻の電流不平衡率の関連値と発電機３の運転状態の計測値とを組み合わせて複数集めた運転状態事例データ群２１を作成しておき、運転状態事例データ群２１の電流不平衡率の関連値を入力とすると共に運転状態事例データ群２１の発電機３の運転状態の計測値を出力としてサポートベクターマシンを用いて発電機３の運転状態の判別面を生成して識別関数を決定し、新たに求められる電流不平衡率の関連値を入力として識別関数を用いて発電機３がどのような運転状態にあるかを判別するものである。さらに、分散形電源の運転状態判別プログラム１６は、少なくとも、三相電流が流れる配電系統１又は配電系統１から配電系統１に連系された需要家２の三相電流を発生させる発電機３に至るまでの電線４を流れる三相電流を測定する電流測定手段５の測定結果に基づいて電流不平衡率に関連する値を求める関連値決定手段６と、同じ時刻に測定されて求められた電流不平衡率の関連値と発電機３の運転状態の計測値とを組み合わせて複数集めて予め作成され記憶手段１４に記憶された運転状態事例データ群２１の電流不平衡率の関連値を入力とすると共に運転状態事例データ群２１の発電機３の運転状態の計測値を出力としてサポートベクターマシンを用いて発電機３の運転状態の判別面を生成して識別関数を決定する学習手段８と、電流測定手段５によって新たに測定されて関連値決定手段６によって新たに求められる電流不平衡率の関連値を入力として識別関数を用いて発電機３がどのような運転状態にあるかを判別する判別手段９としてコンピュータを機能させるためのものである。
【００４１】
本実施形態では、電流不平衡率の関連値は、三相の電流実効値と三相の電流の位相差との組み合わせである。即ち、電流不平衡率の関連値として、三相の電流実効値（第１の関連値）と三相の電流の位相差（第２の関連値）との２つの関連値を使用する。
【００４２】
電流測定手段５は、例えば三相電流の測定器であり、例えば配電系統１に設けられている。変電所２２から電力が供給される配電系統１には複数の区分開閉器１０が設けられており、区分開閉器１０には各相毎に電流を測定する電流測定器が設けられているので、本実施形態では電流測定手段５として区分開閉器１０の電流測定器を利用する。ただし、電流測定手段５としては区分開閉器１０の電流測定器に限るものではなく、配電系統１に流れる三相電流を各相毎に測定できるものであれば他のものを使用しても良い。電流測定手段５は、判別対象となる発電機３の運転による影響が電流不平衡率の変化として現われる範囲内に設置されている。なお、図１の符号２３は需要家２が有する負荷である。
【００４３】
電流測定手段５は、連続的に若しくは各相の電流の波形を再現可能なサンプリングタイムで各相の電流実効値を測定し、その測定値と測定時刻を受信装置１５を介して運転状態判別装置の記憶手段１４に供給する。記憶手段１４は供給された測定値とその測定時刻とを順次記憶する。電流測定手段５と受信装置１５との間の通信方法は特定の方式に限定されるものではなく、有線でも無線でも構わない。なお、本実施形態では、後述するように測定した各相の電流の波形を再現し三相の電流の位相差を求める必要があることから、測定を連続的に若しくは各相の電流の波形を再現可能なサンプリングタイムで行うようにしていたが、電流の波形を再現する必要がない場合等には、必ずしも連続的に若しくは各相の電流の波形を再現可能なサンプリングタイムで測定を行う必要はない。
【００４４】
本発明の運転状態判別装置は、制御部１１、入力部１２、表示部１３、記憶手段１４を備え、これらは相互にバス等の信号回線１８により接続されている。制御部１１は記憶手段１４に記憶されている運転状態判別プログラム１６の実行により運転状態判別装置全体の制御並びに発電機３の運転状態の判別等に係る演算を行うものであり、例えばＣＰＵ（中央演算処理装置）である。記憶手段１４は少なくともデータやプログラム１６を記憶可能な装置であり、例えばハードディスクドライブ装置である。
【００４５】
この運転状態判別装置は、本発明の発電機３の運転状態判別プログラム１６をコンピュータ上で実行することによっても実現される。即ち、少なくとも１つのＣＰＵやＭＰＵなどの演算処理装置と、データの入出力を行うインターフェースと、プログラムやデータを記憶する手段を備えるコンピュータ、及び運転状態判別プログラム１６によって、関連値決定手段６、学習手段８、判別手段９を実現している。即ち、演算処理装置は、メモリに記憶されたＯＳ等の制御プログラム、運転状態判別プログラム１６及び所要データ等により、上記関連値決定手段６、学習手段８、判別手段９を実現している。
【００４６】
入力部１２は、少なくとも作業者の命令を制御部１１に与えるためのインターフェースであり、例えばキーボードである。
【００４７】
表示部１３は、制御部１１の制御により文字や図形等の描画・表示を行うものであり、例えばディスプレイである。
【００４８】
制御部１１には、運転状態判別プログラム１６を実行することにより、関連値決定手段６と、学習手段８と、判別手段９が構成される。
【００４９】
関連値決定手段６は、電流測定手段５によって測定された電流実効値（図３のＩａ，Ｉｂ，Ｉｃ）を記憶手段１４から読み込んで第１の関連値とする。また、電流測定手段５の測定値に基づいて各相の電流の波形を再現し、三相の電流の位相差（図３の角度θ１，θ２，θ３）を求めて第２の関連値とする。関連値決定手段６は、このようにして求めた第１の関連値及び第２の関連値を組み合わせて記憶手段１４に供給し、記憶手段１４は第１の関連値及び第２の関連値の組み合わせを記憶する。
【００５０】
学習手段８は、記憶手段１４に記憶されている運転状態事例データ群２１を用いてサポートベクターマシンによって運転状態判別面を生成し識別関数を決定するものである。
【００５１】
判別手段９は、決定された識別関数と新たに求められた第１の関連値及び第２の関連値とに基づいてサポートベクターマシンによって発電機３の運転状態を判別するものである。
【００５２】
運転状態事例データ群２１は、例えば実験を行って予め作成され、記憶手段１４に記憶されている。運転状態事例データ群２１は、同じ測定時刻の電流不平衡率の関連値と発電機３の運転状態の測定値（運転あり・なし）との組み合わせを多数集めたものである。
【００５３】
電流不平衡率の関連値は、例えば本発明による発電機３の運転状態の判別と同様に、電流測定手段５と関連値決定手段６を用いて求められる。また、発電機３の運転状態の測定は、例えば発電機３の運転状態を計測する計測器を需要家１内の発電機３に一時的に設置することで行なわれる。需要家１内の発電機３に一時的に運転状態計測器を設置してデータを収集し、サポートベクターマシンの識別関数の作成に必要な運転状態事例データ群２１を予め作成しておくことで、本発明による発電機３の運転状態の識別では、需要家１内の発電機３に運転状態計測器を設置しなくても、発電機３の運転状態を判別することができる。
【００５４】
運転状態計測器として、例えば発電機端に設置され、発電機３の三相電圧と２相電流を入力とし、二電力量計法によって発電機３の有効電力や力率等を計測するものの使用が可能である。測定した有効電力が０の場合に発電なし、０よりも大きな場合に発電ありと判断する。
【００５５】
本実施形態では、電流不平衡率の関連値として、三相の電流実効値（第１の関連値）と三相の電流の位相差（第２の関連値）とを使用しているので、運転状態事例データ群２１は三相の電流実効値、三相の電流の位相差、発電機３の運転状態の測定値の組み合わせを複数集めた構造となっている。
【００５６】
本発明の運転状態判別方法は、図２に示すように、大きくは、予め作成し記憶している運転状態事例データ群２１を用いてＳＶＭによって運転状態判別面を生成し識別関数を決定する学習ステップ（Ｓ１）と、識別関数と新たに測定され求められた電流不平衡率とに基づいて需要家２内に設置された発電機３の運転状態を判別する判別ステップ（Ｓ２）とからなる。なお、運転状態事例データ群２１は学習ステップ（Ｓ１）のみで用いられるものであり、判別ステップ（Ｓ２）では用いられない。
【００５７】
まず、学習ステップ（Ｓ１）について説明する。
【００５８】
本実施形態の発電機３の運転状態判別方法の実行にあたっては、まず、制御部１１の学習手段８が記憶手段１４に記憶されている運転状態事例データ群２１の読み込みを行う（Ｓ１−１）。なお、本発明における運転状態事例データ群２１を構成するデータはＳＶＭにおける学習データ（若しくは学習サンプルやサンプルデータや訓練サンプルや例題とも呼ばれる）に該当する。
【００５９】
次に、学習手段８は、読み込んだ運転状態事例データ群２１を用いてＳＶＭによって運転状態判別面を生成し識別関数を決定する（Ｓ１−２）。
【００６０】
本実施形態では、運転状態事例データ群２１のうち、電流不平衡率の関連値（第１の関連値：三相の電流実効値，第２の関連値：三相の電流の位相差）をＳＶＭにおける特徴ベクトル（即ち入力）として扱い、発電機３の運転状態をクラス（即ち出力）として扱う。
【００６１】
ＳＶＭは、パターン識別手法の一つであり、ｄ次元の１個のパターンデータＸ＝(ｘ１，ｘ２，・・・，ｘｄ)が与えられたときに、パターンデータＸがどのクラスに属するのかを分類するものである。なお、パターンデータＸはＳＶＭにおける特徴ベクトルである。
【００６２】
本発明では、発電機３の運転状態をクラスとして扱う。これについて、本実施形態では、発電機３の運転のあり・なしをクラスとして扱う。したがって、本実施形態においてはクラスの数は２個となる。具体的には、本実施形態では、クラスをｙで表し、運転ありに対応するクラスｙ＝＋１とすると共に運転なしに対応するクラスｙ＝−１として数値化して用いる。なお、本実施形態において例として挙げているのは発電機３の運転・停止のみの判断であるが、複数台設置の需要家２については、運転台数をクラスとして扱うことも可能である。その場合には、クラスの値は整数値をとることとなる。
【００６３】
また、本実施形態では、パターンデータＸとして電流不平衡率の関連値を用いる。すなわち、本実施形態では、パターンデータＸは二次元であり、パターンデータＸ＝(第１の関連値，第２の関連値)である。なお、本実施形態における例ではパターンデータを２次元としているが、第１の関連値及び第２の関連値の組み合わせの連続値を利用することも可能であり、その場合には多次元（具体的には、２次元データ×ｎ組で２ｎ次元）となる。
【００６４】
そして、ＳＶＭでは、パターンデータＸを入力とし、クラスｙ＝＋１，−１を出力とし、パターンデータＸが入力された場合にクラスｙを出力する関数である識別関数を決定する。ＳＶＭでは、まず、事前に与えられるサンプルデータであって過去の実績に基づくｎ個のパターンデータＸ１，Ｘ２，・・・，Ｘｎと各パターンデータに対応する正解のクラスｙ１，ｙ２，・・・，ｙｎとの組み合わせである学習データを用い、学習データが正しく判別されるような識別関数を決定する。そして、ＳＶＭでは、新しく与えられクラスが未知であるパターンデータＸを、得られた識別関数を用いて分類してクラスｙを出力する。
【００６５】
本実施形態における運転ありに対応するクラスｙ＝＋１と運転なしに対応するクラスｙ＝−１とを分類する場合について説明する。パターンデータＸの入力に対し、二値のクラスｙを出力する識別関数ｙ＝ｆ(Ｘ)（数式１１）に従ってクラスｙを出力する。
〈数１１〉
ｆ(Ｘ)＝sgn(ｗ・Ｘ＋ｂ)
ここで、ｗ＝(ｗ１，ｗ２，・・・，ｗｄ)：ベクトル変数，ｂ：スカラー変数を表す。
また、ｗ・Ｘの・は内積を表す。
さらに、sgn[ｕ]は、ｕ＞０で１をとり、ｕ≦０で−１をとる符号関数である。
【００６６】
数式１１は、ｄ次元の入力空間をｗ・Ｘ＋ｂ＝０で定義される超平面Ｈ０で二つに分け、一方に１を、他方に−１を対応させることに対応する。学習データを正しく判別する識別関数の設定は、与えられた学習データに対してベクトル変数ｗやスカラー変数ｂを調整することにより行われる。
【００６７】
サンプルのパターンデータＸの全てに対して正しいクラスｙが出力されるようなベクトル変数ｗとスカラー変数ｂとの組み合わせが存在するとき、その学習データ集合は「線形分離可能」であるという。この線形分離を実現する超平面（判別面とも言う）Ｈ０は一つには決まらない。そこで、ＳＶＭでは、判別面Ｈ０から各クラスｙの端までの距離をマージンＬと呼び、マージンＬを最大にするように判別面Ｈ０（最適超平面と言う）を決定する。このことは各クラスｙの間の真ん中を判別面Ｈ０とすることに対応する。そして、最適超平面Ｈ０からマージンＬだけ離れて最適超平面Ｈ０を挟む二枚の超平面、換言すれば各クラスｙの端のサンプルパターンデータＸがのっている超平面が第一超平面Ｈ１と第二超平面Ｈ２とになる。
【００６８】
ここで、サンプルのパターンデータＸの全てに対して正しいクラスｙが出力されるようなベクトル変数ｗとスカラー変数ｂとの組み合わせが存在することは必ずしも保証されない。つまり、常に線形分離可能であるとは限らない。線形分離は、一般に、サンプル数ｎが大きくなるほど難しく、特徴ベクトルＸの次元ｄが大きいほど易しくなる。そこで、線形分離可能でない場合には、パターンデータＸを非線形変換（ｚ＝φ(Ｘ)）によって、より高次元の空間に写像する。これにより、線形分離可能な状態になり、最適超平面Ｈ０を求めることができる。例えば二次元空間上のパターンデータＸを非線形変換（ｚ＝φ(Ｘ)）することにより、三次元空間上のｚへと変換すると、平面で線形分離することができる。
【００６９】
ＳＶＭでは、一般的に、次元ｄの増加とともに計算量が増えて計算が困難になる。この問題を解決するためにＳＶＭでは、内積Ｘ・Ｘを非線形変換した結果現れる内積ｚ・ｚ＝φ(Ｘ)・φ(Ｘ)を核関数（カーネル関数と呼ばれる）Ｋを使って済ませ、ｚの計算を経由しないという方法をとる。このテクニックをカーネルトリックと呼ぶ。
【００７０】
具体的には、カーネル関数Ｋを数式１２のようにおく。
〈数１２〉
Ｋ(Ｘ１，Ｘ２)＝φ(Ｘ１)・φ(Ｘ２)
【００７１】
カーネル関数Ｋの代表的な例としては、数式１３で表されるＲＢＦ（Ｒadial  Ｂasis  Ｆunction）カーネルや数式１４で表されるｐ次の多項式カーネルがある。
〈数１３〉
Ｋ(ｘ，ｙ)＝exp(−‖ｘ−ｙ‖２／２σ２)
〈数１４〉
Ｋ(ｘ，ｙ)＝(ｘ・ｙ＋１)ｐ
【００７２】
このように、カーネルトリックと呼ばれる計算方法によって、高次元の写像を実際に計算することなしに高速に解を求めることができる。これにより、線形分離可能な状態となり、最適超平面Ｈ０を求めることができる。なお、最適超平面（判別面）Ｈ０及び第一超平面Ｈ１及び第二超平面Ｈ２を求めるアルゴリズムは必ずしも上記の例には限定されず、その他の既知のアルゴリズムあるいは更に改良された新規のアルゴリズムを採用することも可能である。
【００７３】
なお、電流不平衡率の関連値と発電機３の運転状態との組み合わせデータは需要家２又は発電機３毎に特性が異なることが考えられるので、本発明においては、運転状態判別対象の需要家２又は発電機３毎に運転状態事例データ群２１が準備されると共に判別面Ｈ０が決定されることが好ましい。しかしながら、例えば同一若しくは類似の業種の工場であったり、特別な電気機器は使用されていない一般的なビルであったりする場合であって特性が似ていると考えられる場合には或る一つの工場やビルで計測された運転状態事例データ群２１に基づく判別面Ｈ０を他の工場やビルに対して用いるようにしても良い。
【００７４】
学習手段８は、Ｓ１−１の処理において記憶手段１４に記憶されている運転状態事例データ群２１を読み込み、当該データを用いてＳＶＭによって運転状態判別面を生成して識別関数を決定する。学習手段８は決定した識別関数を記憶手段１４に記憶させる（ステップＳ１−２）。
【００７５】
以上の学習ステップ（Ｓ１）は、識別関数を特定するために或る需要家２若しくは或る特徴を有する需要家２に対して一回だけ行う。そして、この学習ステップ（Ｓ１）によって決定された識別関数を用いて以下の判別ステップ（Ｓ２）を繰り返して行う。
【００７６】
続いて、判別ステップ（Ｓ２）について説明する。
【００７７】
電流測定手段５によって新たに測定された電流実効値は受信装置１５を介して記憶手段１４に供給され、一旦記憶される。関連値決定手段６は記憶手段１４に一旦記憶された測定値（電流実効値）を読み込み（ステップＳ２−１）、第１の関連値と第２の関連値を求める。求めた第１の関連値と第２の関連値は記憶手段１４に一旦記憶される。なお、第２の関連値は、今回の測定値だけからは求めることはできないが、今回の測定の前に測定した複数の測定値を用いて電流の波形を再現して求めることができる。
【００７８】
次に、判別手段９は関連値決定手段６が新たに求めた第１の関連値及び第２の関連値と、ステップＳ１−２の処理において決定された識別関数を記憶手段１４から読み込み、第１の関連値と第２の関連値を識別関数に入力して発電機３の運転状態を判別する（ステップＳ２−２）。その後、判別手段９は判別結果を表示部１３に表示して判別ステップ（Ｓ２）を終了する。
【００７９】
なお、判別ステップ（Ｓ２）の処理は、例えば予め設定された時間間隔（例えば１分ごと、３分ごと、１０分ごと、１時間ごと等）で実行される。即ち、電流測定手段５は電流の波形を再現可能な時間間隔で測定を繰り返しているが、判別ステップ（Ｓ２）の実行はこれよりも長い間隔となっている。ただし、必ずしもこれに限るものではなく、判別ステップ（Ｓ２）の処理を、例えば電流測定手段５からの測定データの入力に合わせて実行するようにしても良い。
【００８０】
以上によって判別された発電機３の運転状態は、例えば、区分開閉器１０で区分される配電系統１の区間毎の電力潮流及び需要家２毎の実際の負荷電力値を推定し、当該推定値に基づいて、電圧が規定値の範囲を超えて低下又は上昇するような不都合を回避する配電系統１の制御に活用される。
【００８１】
なお、上述の形態は本発明の好適な形態の一例ではあるがこれに限定されるものではなく、本発明の要旨を逸脱しない範囲において種々変形実施可能である。
【００８２】
例えば、上述の説明では、電流不平衡率の関連値を、三相の電流実効値（第１の関連値）と三相の電流の位相差（第２の関連値）との組み合わせとしていたが、必ずしもこれに限るものではない。例えば、電流不平衡率、三相の電流の位相差を１２０度と仮定した場合の電流不平衡率、三相の電流実効値、正相電流と逆相電流との組み合わせ、二電力計法による２つの電力計の計測値の組み合わせ、のいずれか１つでも良い。あるいは、これらの各々について、力率の測定値を組み合わせるようにしても良い。即ち、電流測定手段５によって測定される三相電流の力率を測定し、サポートベクターマシンの入力に、力率の測定値を組み合わせるようにしても良い。
【００８３】
電流不平衡率の関連値として、電流不平衡率を使用する場合には、関連値決定手段６は、電流測定手段５によって測定された電流実効値と、再現した電流波形から求めた三相の電流の位相差に基づいて電流不平衡率を算出する。この場合には、関連値が電流不平衡率そのものであるので、発電機３の運転状態の判定を高精度に行うことができる。
【００８４】
電流不平衡率の関連値として、三相の電流の位相差を１２０度と仮定した場合の電流不平衡率（簡易な電流不平衡率）を使用する場合には、関連値決定手段６は、電流測定手段５によって測定された電流実効値に基づき、三相の電流の位相差を１２０度と仮定して電流不平衡率を算出する。この場合には、電流不平衡率の関連値が実際の三相の電流の位相差を反映していないので発電機３の運転状態の判定の精度が若干悪化する虞があるが、その反面、三相の電流の位相差を求める必要がないので計算量を減らすことができると共に、電流波形を再現する必要がないので電流測定手段５による測定の時間間隔を長くすることができて取り扱う情報量を減らすことができる。
【００８５】
電流不平衡率の関連値として、三相の電流実効値を使用する場合には、関連値決定手段６は、電流測定手段５によって測定された電流実効値をそのまま関連値とする。この場合には、電流測定手段５の測定値をそのまま関連値としているので複雑な計算を行う必要がなくなると共に、電流波形を再現する必要がないので電流測定手段５による測定の時間間隔を長くすることができて取り扱う情報量を減らすことができる。
【００８６】
電流不平衡率の関連値として、正相電流と逆相電流との組み合わせを使用する場合には、関連値決定手段６は、電流測定手段５によって測定された電流実効値と、再現した電流波形から求めた三相の電流の位相差に基づいて正相電流及び逆相電流を算出する。この場合には、関連値が正相電流及び逆相電流であるので、電流不平衡率を算出する場合に比べて計算量を減らすことができると共に、関連値に実際の三相の電流の大きさを関連させることができるので、発電機３の運転状態の判定をある程度高精度に行うことができる。
【００８７】
電流不平衡率の関連値として、二電力計法による２つの電力計の計測値の組み合わせを使用する場合には、電流測定手段５に代えて二電力計法に使用する２つの電力計２０，２０を設けるようにする。また、関連値決定手段６は、２つの電力計２０，２０の計測値を関連値とする。この場合の例を例えば図４に示す。なお、図４では図１のものと同一のものには同一の符号を付してある。２つの電力計２０，２０は電線４（引き込み線）に設けられている。この場合には、関連値が２つの電力計２０，２０の読みそのものであるので、電流不平衡率を算出する場合に比べて計算量を減らすことができる。また、広く一般的に設置されている電力計２０，２０をそのまま使用することができるので、わざわざ関連値を求める為に専用の計測器を設ける必要がない。
【００８８】
また、サポートベクターマシンの入力に力率の測定値を組み合わせる場合には、電流測定手段５によって測定される三相電流の力率を測定する力率測定手段１９を設け、この力率測定手段１９の測定値を使用することが考えられる。力率測定手段１９として、例えば力率計の使用が可能である。ただし、力率計に限るものではなく、力率を算出可能な物理量を測定する測定器でも良い。力率測定手段１９は、例えば図１の実施形態では電流測定手段５に隣接して、図４の実施形態では電力計２０，２０に隣接してそれぞれ設けられている。
【００８９】
力率測定手段１９による測定値は受信装置１５を介して記憶手段１４に供給され、一旦記憶された後、関連値決定手段６によって読み込まれる。そして、関連値決定手段６は読み込んだ力率の計測値を電流不平衡率の関連値とする。この関連値は、学習ステップ（Ｓ１）で使用する運転状態事例データ群２１と、判別ステップ（Ｓ２）で使用する特徴ベクトルとして使用される。即ち、サポートベクターマシンの入力に、電流不平衡率と力率の測定値との組み合わせ、三相の電流の位相差を１２０度と仮定した場合の電流不平衡率と力率の測定値との組み合わせ、三相の電流実効値と力率の測定値との組み合わせ、三相の電流実効値と三相の電流の位相差と力率の測定値との組み合わせ、正相電流と逆相電流と力率の測定値との組み合わせ、二電力計法による２つの電力計の計測値と力率の測定値との組み合わせ、を使用するようにしても良い。力率の測定値を組み合わせることで、発電機３の運転状態の判別精度を向上させることができる。
【００９０】
また、上述の説明では、電流測定手段５を配電系統１に設けていたが、電線４に設けるようにしても良い。
【００９１】
また、上述の説明では、予め運転状態事例データ群２１を作成しておき、本発明による発電機３の運転状態の判別では、学習ステップ（Ｓ１）においてＳＶＭによって運転状態判別面を生成し識別関数を決定するようにしていたが、必ずしもこれに限るものではなく、例えば、予め運転状態事例データ群２１を作成しておくと共に、予めＳＶＭによって運転状態判別面を生成し識別関数を決定しておき、本発明による発電機３の運転状態の判別では、予め決定しておいた識別関数を使用して発電機３の運転状態を判別するようにしても良い。この場合でも、図２の実施形態と同様に発電機３の運転状態を判別することができる。
【実施例１】
【００９２】
サポートベクターマシンを用いて発電機３の運転状態の判別が可能であることを確認するための実験を行った。実験では、発電機３を有する需要家２とその需要家２の連系点を含む配電系統１の区間を対象として実際に計測して得られた計測データを用いた。
【００９３】
配電系統１区間のデータとして、変電所に近い地点の配電線上と、需要家２との連系点を挟んで変電所から遠い地点の配電線上（即ち、連系点を挟んだ上下２箇所）にそれぞれ計測器を設置し、各相の電流や有効電力、力率などを測定した。そして、変電所に近い地点の測定データから遠い地点の測定データを引き、区間についてのデータとした。また、需要家２入口から需要家２構内を見ると、回路にはモータや照明などの通常の負荷の他に発電機３（複数台の場合もある）が並列に接続されている。この状態で、需要家２入口（受電端）と発電機３接続点（すなわち発電端）とに計測器を設置して有効電力や力率などを測定し、それらのデータを需要家２のデータとした。
【００９４】
配電系統１区間で計測した１分間隔の各相電流と区間力率の連続する１０分間分のデータ（計４０個）を別途計測した発電機の運転状態（運転あり、なし）別にＳＶＭに学習させた。具体的には、Ａ相の有効電流をＡ１，Ａ２，・・・、Ｂ相の有効電流をＢ１，Ｂ２，・・・、Ｃ相の有効電流をＣ１，Ｃ２，・・・、力率をＰＦ１，ＰＦ２，・・・，ＰＦ１０とすると、（Ａ１，…，Ａ１０，Ｂ１，…，Ｂ１０，Ｃ１，…，Ｃ１０，ＰＦ１，…，ＰＦ１０）＝Ｘを入力とすると共に、（発電機の運転、発電機の停止）＝ｙを出力とする学習データの組み（Ｘ，ｙ）を用いて判別面を決定した。
【００９５】
ＳＭＶを用いて分類した結果、約９９％の高い精度で学習し、１０fold cross validation（１０分割交差検定とも呼ばれる）によって判別性能を評価した結果、正答率は９６〜９９％となった。以上より、本発明は一般性を有し、且つ高い判別精度を有することが確認された。
【実施例２】
【００９６】
次に、電流不平衡率の関連値として２つの電力計の指示値と力率を採用した運転状態事例データ群２１を、異なる３軒の需要家２についての実測データに基づいて作成した。なお、使用した実測データは実施例１で使用したものと同じものである。この運転状態事例データ群２１を学習データとして与えて学習させたＳＶＭを用いて推定精度を検証したところ、正答率は９６〜９９％となった。これにより、本発明は一般性を有し、且つ高い判別精度を有することが確認された。
【符号の説明】
【００９７】
１  配電系統
２  需要家
３  発電機（分散形電源）
４  電線
５  電流測定手段
６  関連値決定手段
８  学習手段
９  判別手段
１９  力率測定手段
２０  電力計
２１  運転状態事例データ群
【図１】
2011072122.tif 000005
【図２】
2011072122.tif 000006
【図３】
2011072122.tif 000007
【図４】
2011072122.tif 000008
【図５】
2011072122.tif 000009
【図６】
2011072122.tif 000010